(57)【要約】【課題】温度上昇に対する安全性が向上する。【解決手段】情報処理装置１は、送風機３から排気口４ａへ流れる空気が通過する排気経路４と、排気経路４の途中から分岐して排気口５ａに通じる排気経路５と、排気経路５上に配置され、排気経路４から排気経路５に流れ込んで排気口５ａから排気される空気の風量を計測する風量センサ７と、風量センサ７で計測された風量に基づいて、排気口４ａが遮蔽されているか否かを判定する判定手段８ｂとを有する。このような情報処理装置１では、判定手段８ｂで排気口４ａが遮蔽されていると判定されることにより、情報処理装置１の誤作動及び故障の発生を抑制することができる。【選択図】図１
2011150517.tif 000002
【特許請求の範囲】
【請求項１】
筐体内の空気を排気する送風機を有する情報処理装置において、
前記送風機から第１排気口へ流れる空気が通過する第１経路と、
前記第１経路の途中から分岐して第２排気口に通じる第２経路と、
前記第２経路上に配置され、前記第１経路から前記第２経路に流れ込んで前記第２排気口から排気される空気の風量を計測する風量計測器と、
前記風量計測器で計測された前記風量に基づいて、前記第１排気口が遮蔽されているか否かを判定する判定手段と、
を有することを特徴とする情報処理装置。
【請求項２】
前記判定手段は、
前記風量と所定の閾値とを比較して、前記風量が前記閾値よりも大きい場合に、前記第１排気口が遮蔽されていると判定することを特徴とする請求項１記載の情報処理装置。
【請求項３】
前記判定手段が前記第１排気口が遮蔽されていると判定すると、前記第１排気口が遮蔽されている旨を警告する警告手段、
をさらに有することを特徴とする請求項１または２記載の情報処理装置。
【請求項４】
前記第２排気口の開閉を行う開閉部と、
前記判定手段が前記第１排気口が遮蔽されていると判定すると、前記第２排気口を閉鎖状態から開放状態にするように前記開閉部を制御する開閉制御手段と、
をさらに有することを特徴とする請求項１乃至３のいずれか１項に記載の情報処理装置。
【請求項５】
前記判定手段が前記第１排気口が遮蔽されていると判定すると、情報処理装置が備える制御回路のクロック周波数を低下させるパワーモード制御部、
をさらに有することを特徴とする請求項１乃至４のいずれか１項に記載の情報処理装置。
【請求項６】
筐体内に空気を吸気する送風機を有する情報処理装置において、
第１吸気口から前記送風機に吸気される空気が通過する第１経路と、
前記第１経路の途中から分岐して第２吸気口に通じる第２経路と、
前記第２経路上に配置され、前記第２排気口から前記第２経路に吸気されて、前記第１経路に流れ込む空気の風量を計測する風量計測器と、
前記風量計測器で計測された前記風量に基づいて、前記第１排気口が遮蔽されているか否かを判定する判定手段と、
を有することを特徴とする情報処理装置。
【発明の詳細な説明】
【技術分野】
【０００１】
本発明は、情報処理装置に関する。
【背景技術】
【０００２】
パーソナルコンピュータ、サーバ等の情報処理装置においては、要求された処理の実行に伴って、この情報処理装置を構成する電子部品等が発熱し、内部の温度が上昇する。情報処理装置内の温度上昇は、情報処理装置の誤作動及び故障を引き起こす。このような誤作動・故障の発生を抑制するために、情報処理装置内部の冷却（クーリング）を行う必要がある。
【０００３】
情報処理装置をクーリングするために、例えば、情報処理装置内に配置したファンの回転数を情報処理装置内の温度（内部温度）に応じて制御して、温度上昇した空気を排気する方法が行われている（例えば、特許文献１参照）。
【先行技術文献】
【特許文献】
【０００４】
【特許文献１】特開２００１−１８５８８４号公報
【発明の概要】
【発明が解決しようとする課題】
【０００５】
ファンを用いたクーリング方法では、排気口が塞がれた場合には、空気の排気が妨げられて冷却性能が低下し、内部温度が急上昇する。温度が急上昇した場合には、温度の上昇に対してファンの回転数の上昇が追いつかなくなり、急激な温度上昇に対応できないという問題があった。
【０００６】
本発明はこのような点に鑑みてなされたものであり、温度上昇に対する安全性が向上した情報処理装置を提供することを目的とする。
【課題を解決するための手段】
【０００７】
上記目的を達成するために、筐体内の空気を排気する送風機を有する情報処理装置が提供される。
この情報処理装置は、前記送風機から第１排気口へ流れる空気が通過する第１経路と、前記第１経路の途中から分岐して第２排気口に通じる第２経路と、前記第２経路上に配置され、前記第１経路から前記第２経路に流れ込んで前記第２排気口から排気される空気の風量を計測する風量計測器と、前記風量計測器で計測された前記風量に基づいて、前記第１排気口が遮蔽されているか否かを判定する判定手段と、を有する。
【０００８】
また、上記目的を達成するために、筐体内に空気を吸気する送風機を有する情報処理装置が提供される。
この情報処理装置は、第１吸気口から前記送風機に吸気される空気が通過する第１経路と、前記第１経路の途中から分岐して第２吸気口に通じる第２経路と、前記第２経路上に配置され、前記第２排気口から前記第２経路に吸気されて、前記第１経路に流れ込む空気の風量を計測する風量計測器と、前記風量計測器で計測された前記風量に基づいて、前記第１排気口が遮蔽されているか否かを判定する判定手段と、を有する。
【発明の効果】
【０００９】
上記の情報処理装置によれば、温度上昇に対する安全性が向上する。
【図面の簡単な説明】
【００１０】
【図１】第１の実施の形態に係る情報処理装置の構成及び機能を示す図である。
【図２】第２の実施の形態に係る情報処理装置のハードウェア構成例を示す図である。
【図３】第２の実施の形態に係る情報処理装置の排気の機構例を示す図である。
【図４】第２の実施の形態に係る情報処理装置が備える機能を示すブロック図である。
【図５】第２の実施の形態に係る情報処理装置が実行される通気口の遮蔽判定の処理手順を示すフローチャートである。
【図６】図３の情報処理装置における通気口の遮蔽時を説明する図である。
【図７】通気口の遮蔽時に表示される警告例を示す図である。
【図８】第２の実施の形態の変形例を示す図である。
【図９】図８の情報処理装置における通気口の遮蔽時を説明する図である。
【図１０】第３の実施の形態に係る情報処理装置のハードウェア構成例を示す図である。
【図１１】第３の実施の形態に係る情報処理装置の排気の機構例を示す図である。
【図１２】第３の実施の形態に係る情報処理装置が備える機能を示すブロック図である。
【図１３】第３の実施の形態に係る情報処理装置が行う通気口の遮蔽判定の処理手順を示すフローチャートである。
【図１４】第３の実施の形態に係る情報処理装置の通気経路のそれぞれの風量の関係を説明する表である。
【図１５】図１１の情報処理装置における通気口の遮蔽時を説明する図である。
【図１６】第３の実施の形態の変形例を示す図である。
【図１７】図１６の情報処理装置における通気口の遮蔽時を説明する図である。
【発明を実施するための形態】
【００１１】
以下、実施の形態を図面を参照して詳細に説明する。
［第１の実施の形態］
図１は第１の実施の形態に係る情報処理装置の構成及び機能を示す図である。
【００１２】
なお、図１中の破線矢印は、送風機３による情報処理装置１内の空気の排気の流れを表している。また、図１に限らず、後に説明する図３，６，８，９，１１，１５〜１７も同様に、破線矢印は空気の流れを表している。
【００１３】
情報処理装置１の筐体２の内部には、筐体２内の回路等の発熱により温度上昇した空気を排気するための送風機３が設けられている。なお、送風機３として、例えば、ファン、ブロワ、エアサーキュレータ等を適用することができる。
【００１４】
筐体２の外面には、２つの排気口４ａ，５ａが設けられている。図１では例として、筐体２の側部に排気口４ａ，５ａがそれぞれ配設されている。筐体２の内部には、送風機３から排気口４ａに流れ込む空気が通過する排気経路４と、排気経路４の途中から分岐して排気口５ａに通じる排気経路５とが設けられている。
【００１５】
排気口４ａが遮蔽されていない状態では、送風機３から排気経路４に流れ込む空気のほとんどは、排気口４ａから排気される。一方、排気口４ａが遮蔽物Ｘ等により遮蔽された場合には、送風機３からの空気は排気経路４から排気経路５に流れ込み、排気口５ａから排気される。
【００１６】
また、排気経路５上には風量センサ７が配置されている。風量センサ７は、排気経路５に流れ込んだ空気の風量を計測する。
なお、排気口４ａ，５ａの配設位置は図１の場合に限らない。即ち、排気口５ａは、排気経路４の途中から分岐する排気経路５の形状・配設位置に応じて、筐体２の外面の任意の位置に配設することができる。
【００１７】
さらに、情報処理装置１は、閾値保持手段８ａ及び判定手段８ｂを有する。また、情報処理装置１は、警告手段８ｃを有していてもよい。
閾値保持手段８ａは、風量センサ７で計測された風量の比較対象となる風量の閾値を示す閾値情報を予め保持する。なお、閾値は、排気口４ａが遮蔽されていない場合には、遮蔽されていないと判定されるように設定される。当該閾値に基づいて、計測された風量から排気口４ａが遮蔽されているか否かが判定される。
【００１８】
判定手段８ｂは、風量センサ７で計測された風量と、閾値保持手段８ａが保持する閾値とを比較して、当該風量が当該閾値よりも大きい場合には、排気口４ａが遮蔽されていると判定し、遮蔽物Ｘを検知する。
【００１９】
警告手段８ｃは、判定手段８ｂで排気口４ａが遮蔽されていると判定された場合に、例えば、アラームを鳴らし、また、表示装置で表示する等により、ユーザに対して排気口４ａが遮蔽されている旨を警告する。
【００２０】
なお、情報処理装置１は、例えば、ＣＰＵ（Central Processing Unit：中央処理装置）、ＲＡＭ（Random Access Memory）、ＨＤＤ（Hard Disk Drive）等の各部（それぞれ図示を省略）が互いにバスで接続されたコンピュータとして実現される。この場合、判定手段８ｂの機能は、例えば、ＣＰＵが実装されたプリント配線基板上の回路として実現される。あるいは、判定手段８ｂの機能は、ＣＰＵにより所定のプログラムが実行されることで実現されてもよい。
【００２１】
次に、このような構成・機能を備える情報処理装置１における排気口４ａの遮蔽の判定方法の例について説明する。
まず、排気口４ａが遮蔽されていない場合には、例えば、情報処理装置１内の排気経路４の温度が所定温度を越えると、送風機３が送風を開始する。送風機３の送風により、温度上昇した空気が排気経路４を通じて排気口４ａから排気されて、情報処理装置１内の温度が低下を始める。当該温度が所定温度より低下すると、送風機３は送風を停止する。
【００２２】
なお、この場合の送風機３からの送風時には、送風機３からの空気の一部が排気経路４から分岐して、分岐口６ｂを経て排気経路５に流れ込む可能性もある。排気経路５に流れ込んだ空気の風量を風量センサ７が計測し、判定手段８ｂが、計測された風量と、閾値保持手段８ａが保持する風量の閾値とを比較する。この場合の比較結果は計測された風量が閾値よりも小さいために、判定手段８ｂは、排気口４ａは遮蔽されていないと判定する。
【００２３】
一方、排気口４ａが遮蔽物Ｘで遮蔽されている場合について説明する。
情報処理装置１内の温度が所定温度を越えると、上記と同様に、送風機３が送風を開始する。送風機３の送風により、温度上昇した空気は排気経路４に流れ込むが、排気口４ａが遮蔽物Ｘで遮蔽されているために、排気口４ａから十分に排気されない。排気口４ａからの排気が妨げられた空気の多くは、図１に示すように、分岐口６ｂから分岐して排気経路５に流れ込み、排気口５ａから排気される。この時に、風量センサ７が排気経路５に流れ込んだ空気の風量を計測し、判定手段８ｂが、計測された風量と、閾値保持手段８ａが保持する風量の閾値とを比較する。比較結果が当該風量が当該閾値よりも大きくなったときに、判定手段８ｂは、排気口４ａは遮蔽されていると判定する。
【００２４】
さらに、情報処理装置１は、判定手段８ｂが遮蔽物Ｘを検知すると、警告手段８ｃがユーザに対して、排気口４ａが遮蔽されている旨を警告する。なお、警告手段８ｃによる警告方法としては、例えば、情報処理装置１に接続された表示装置（図示を省略）に遮蔽されている旨を表示する。または、アラームを鳴らすようにしてもよい。また、表示での警告と音声での警告の両方が行われてもよい。このように、ユーザに対して排気口４ａの遮蔽を警告することにより、情報処理装置１内の温度が大きく上昇する前に、ユーザに排気口４ａの確認を促すことができる。
【００２５】
このように、情報処理装置１では、送風機３により空気が流れ込んだ排気経路４の途中から分岐する、排気口５ａに通じる排気経路５と、排気経路５上に配置された風量センサ７とを有する。そして、情報処理装置１では風量センサ７が計測した風量に応じて、排気口４ａの遮蔽を判定するようにした。
【００２６】
これにより、情報処理装置１内の温度が大きく上昇する前に、排気口４ａが遮蔽物Ｘで遮蔽されていることを検知でき、情報処理装置１の誤作動及び故障の発生を抑制することができる。
【００２７】
［第２の実施の形態］
次に、情報処理装置としてコンピュータを適用した例について説明する。
図２は第２の実施の形態に係る情報処理装置のハードウェア構成例を示す図である。また、図３は第２の実施の形態に係る情報処理装置の排気の機構例を示す図である。
【００２８】
情報処理装置１００は、例えば、図２に示すようなコンピュータとして実現される。このコンピュータは、ＣＰＵ１１０、ＲＡＭ１２０、ＨＤＤ１３０、グラフィック処理部１４０、入力インタフェース１５０及びファンコントローラ１６０を備えている。これらの各部はバス１８０で相互に接続されて、図３に示す筐体１２内に設置されている。また、ファンコントローラ１６０には、ファン１６１、温度センサ１６２及び風量センサ１６３がそれぞれ接続されており、これらは、図３中の所定位置にそれぞれ配置されている。
【００２９】
ＣＰＵ１１０は、ＨＤＤ１３０等の記憶媒体に記憶された各種プログラムを実行することにより、このコンピュータ全体を統括的に制御する。
ＲＡＭ１２０は、ＣＰＵ１１０に実行させるプログラムの少なくとも一部、並びにこのプログラムによる処理に必要な各種データを一時的に記憶する。
【００３０】
ＨＤＤ１３０は、ＣＰＵ１１０により実行されるプログラム、並びにその実行に必要な各種のデータ等を記憶する。
グラフィック処理部１４０には、表示手段である、例えば、モニタ２１が接続されている。このグラフィック処理部１４０は、ＣＰＵ１１０からの命令に従って、モニタ２１の画面上に画像を表示させる。
【００３１】
入力インタフェース１５０には、例えば、キーボード２２及びマウス２３等が接続されている。入力インタフェース１５０は、キーボード２２及びマウス２３からの信号を、バス１８０を介してＣＰＵ１１０に送信する。
【００３２】
ファンコントローラ１６０には、筐体１２内の空気を排気するファン１６１、筐体１２内の温度を計測する温度センサ１６２及び後述する通気経路１５（図３を参照）に流れ込んで排気される空気の風量を計測する風量センサ１６３がそれぞれ接続されている。
【００３３】
また、筐体１２には、図３に示すように、側部に通気口１４ａ，１５ａがそれぞれ配設されている。筐体１２の内部には、ファン１６１により流し込まれた空気を通気口１４ａから排気する通気経路１４が設置され、通気経路１４上には、冷却の対象物に接触したフィン１９が設置されている。また、通気経路１４の途中の分岐口１６ｂからは通気経路１５が分岐され、通気経路１５は通気口１５ａに通じている。通気経路１４と通気経路１５とは仕切り１６ａで仕切られ、仕切り１６ａの端部に分岐口１６ｂが配置されている。
【００３４】
なお、通気口１４ａ，１５ａの配設位置は図３の場合に限らない。即ち、通気口１５ａは、通気経路１４の途中から分岐する通気経路１５の形状・配設位置に応じて、筐体１２の外面の任意の位置に配設することができる。
【００３５】
フィン１９は、銅、アルミニウム等の熱伝導性が高い金属材で構成されている。また、フィン１９は、当該フィン１９の裏面で発熱量が大きいＣＰＵ１１０等の対象物（図示を省略）に接触しており、対象物の放熱性を上げて、冷却性を高めることができる。そして、フィン１９は、ファン１６１の送風で通気経路１４に流れ込んだ空気により冷却されるため、冷却能力がさらに高まる。
【００３６】
温度センサ１６２は、図３に示すように、フィン１９が接触されたＣＰＵ１１０等の対象物に接触または近接して設置され、当該対象物の温度を計測する。温度センサ１６２は、例えば一定周期で対象物の温度を計測する毎に、当該温度に対応する信号をファンコントローラ１６０に送信する。
【００３７】
風量センサ１６３は、通気経路１５上の通気口１５ａの近傍に配置されている。また、風量センサ１６３は、当該通気経路１５を通風する一方向（分岐口１６ｂから通気口１５ａ側に向かう方向）の１分間当たりの風量（リットル／分）を計測する。計測される風量の増加に伴って増加する出力信号がファンコントローラ１６０に送信される。
【００３８】
次いで、情報処理装置１００が備える制御機能について説明する。
図４は第２の実施の形態に係る情報処理装置が備える機能を示すブロック図である。
情報処理装置１００は、通気口１４ａの遮蔽を判定すると共に、判定結果に応じて所定の処理を実行することができる。このような処理を実行するために、情報処理装置１００は、閾値保持部２０１、比較判定部２０２、ファン制御部２０３、表示制御部２０４及びパワーモード制御部２０５を有する。
【００３９】
閾値保持部２０１は、情報処理装置１００内の温度と、通気経路１５に流れ込んで通気口１５ａから排気される空気の風量とのそれぞれの所定の閾値を示す情報を予め保持している。計測温度と温度の閾値との比較結果に応じてファン１６１の回転数が制御される。また、計測風量と風量の閾値との比較結果に応じて通気口１４ａの遮蔽が判定される。
【００４０】
比較判定部２０２は、温度センサ１６２で計測された計測温度と、閾値保持部２０１が保持する温度の閾値とを比較する。そして、比較判定部２０２は比較結果に応じて次の処理を行う。計測温度が閾値よりも高い場合にはファン１６１の回転を開始させ、計測温度が閾値よりも低下した場合にはファン１６１の回転を停止させるような制御要求をファン制御部２０３に送信する。
【００４１】
また、比較判定部２０２は、風量センサ１６３から送信された計測風量と、閾値保持部２０１が保持する風量の閾値とを比較する。そして、比較判定部２０２は比較結果に応じて次の処理を行う。
【００４２】
計測風量が閾値よりも大きくなった場合には、通気口１４ａが遮蔽されていると判定して、ＣＰＵ１１０のクロック周波数を低下させるような制御要求をパワーモード制御部２０５に送信する。さらに、通気口１４ａの遮蔽による冷却性能の低下の警告を表示させる表示要求を表示制御部２０４に送信する。
【００４３】
一方、比較判定部２０２は、計測風量が閾値よりも低下した場合には、既にＣＰＵ１１０のクロック周波数を低下させていれば、通常のクロック周波数に戻させるような制御要求をパワーモード制御部２０５に送信する。また、既に、上記警告を表示させていれば、警告の表示を終了させるような表示要求を表示制御部２０４に送信する。
【００４４】
ファン制御部２０３は、比較判定部２０２の制御要求に基づいてファン１６１の回転を制御する。
表示制御部２０４は、比較判定部２０２からの表示要求に基づいて、モニタ２１に遮蔽の警告を表示させる。また、比較判定部２０２からの表示を終了させる要求に基づいて、モニタ２１の警告表示を終了させる。なお、図４では、モニタ２１に関する図示を省略している。
【００４５】
パワーモード制御部２０５は、比較判定部２０２からの制御要求に基づいてＣＰＵ１１０のクロック周波数を制御する。
なお、上記機能のうち、例えば、比較判定部２０２、ファン制御部２０３及びパワーモード制御部２０５の機能はファンコントローラ１６０で実現され、表示制御部２０４の機能はＣＰＵ１１０により所定のプログラムが実行されることで実現される。
【００４６】
次に、情報処理装置１００で行われる通気口１４ａの遮蔽判定及び当該判定に応じて実行される所定の制御の処理手順について説明する。
図５は第２の実施の形態に係る情報処理装置が実行される通気口の遮蔽判定の処理手順を示すフローチャートである。
【００４７】
［ステップＳ１１］
温度センサ１６２が情報処理装置１００内の温度を計測する毎に、比較判定部２０２が計測温度を取得する。
【００４８】
［ステップＳ１２］
比較判定部２０２は、計測温度と、閾値保持部２０１が保持する温度の閾値とを比較する。次の処理は、比較結果において計測温度の方が閾値よりも低い、即ち、計測温度が閾値以上では無い場合には、再びステップＳ１１に進められ、計測温度が閾値以上である場合には、ステップＳ１３に進められる。
【００４９】
［ステップＳ１３］
比較判定部２０２は、ファン制御部２０３にファン１６１に回転させるように要求する。この処理により、ファン１６１が回転を開始して、情報処理装置１００内の空気を排気する。なお、この時に、計測温度に応じて回転数を制御させることも可能である。
【００５０】
［ステップＳ１４］
風量センサ１６３がファン１６１から送風されて通気経路１５に流れ込んで排気される空気の風量を計測する毎に、比較判定部２０２は計測風量を示す情報を取得する。
【００５１】
［ステップＳ１５］
比較判定部２０２は、計測風量と、閾値保持部２０１が保持する風量の閾値とを比較する。次の処理は、比較結果において計測風量が閾値以下の場合には、ステップＳ１８に進められ、計測風量が閾値よりも大きい、即ち、計測風量が閾値以下で無い場合には、ステップＳ１６に進められる。
【００５２】
［ステップＳ１６］
比較判定部２０２は、ＣＰＵ１１０のクロック周波数を低下させるような制御要求をパワーモード制御部２０５に送信する。この処理により、ＣＰＵ１１０のクロック周波数が低下するために、ＣＰＵ１１０における発熱が抑制される。
【００５３】
［ステップＳ１７］
比較判定部２０２は、通気口１４ａの遮蔽による冷却性能の低下の警告を表示させるような表示要求を表示制御部２０４に送信する。この処理により、モニタ２１に当該警告が表示されて、ユーザに通気口１４ａが遮蔽されていることが通知される。また、当該警告の表示と共に、例えば、アラーム音を鳴らして警告することも可能である。
【００５４】
ステップＳ１４〜Ｓ１７のループでは、ステップＳ１５で計測風量が閾値より大きいと判定される間、警告が表示され続けると共に、クロック周波数を低下させた状態が維持される。
【００５５】
［ステップＳ１８］
比較判定部２０２は、冷却性能低下の警告を表示しているか否かを判定する。次の処理は、ステップＳ１７で警告の表示を行っている場合には、ステップＳ１９に進められ、警告の表示を行っていない場合には、ステップＳ２０に進められる。
【００５６】
［ステップＳ１９］
比較判定部２０２は、ステップＳ１７の警告の表示を終了させる要求を表示制御部２０４に送信する。また、ステップＳ１６で低下したＣＰＵ１１０のクロック周波数を元の状態に戻させるような制御要求をパワーモード制御部２０５に送信する。この処理により、モニタ２１の警告の表示が終了して、ＣＰＵ１１０のクロック周波数が元の状態に戻る。
【００５７】
［ステップＳ２０］
比較判定部２０２が、再び、温度センサ１６２が計測した情報処理装置１００内の温度を取得する。
【００５８】
［ステップＳ２１］
比較判定部２０２は、計測温度と、閾値保持部２０１が保持する温度の閾値とを比較する。次の処理は、比較結果において計測温度の方が閾値よりも高い、即ち、計測温度が閾値以下では無い場合には、再びステップＳ１４に進められ、計測温度が閾値以下である場合には、ステップＳ２２に進められる。
【００５９】
［ステップＳ２２］
比較判定部２０２は、ファンの回転を停止させるような制御要求をファン制御部２０３に送信する。この処理により、ファン１６１の回転が停止する。
【００６０】
なお、ステップＳ１８はユーザの設定により行わないようにすることも可能である。この場合、ステップＳ１９では、表示を終了するような要求のみが表示制御部２０４に送信される。
【００６１】
次に、情報処理装置１００の動作について具体的に説明する。
まず、通気口１４ａが遮蔽されていない場合について説明する（図３を参照）。
情報処理装置１００内の温度が上昇してファン１６１の回転が開始すると（ステップＳ１１〜Ｓ１３）、ファン１６１によって送風される空気の一部が通気経路１４の分岐口１６ｂから通気経路１５に流れ込む。
【００６２】
比較判定部２０２が、風量センサ１６３が計測した通気経路１５に流れ込む空気の風量を取得し（ステップＳ１４）、計測風量と風量の閾値とを比較する（ステップＳ１５）。比較の結果は計測風量の方が小さいことから、比較判定部２０２は、通気口１４ａは遮蔽されていないことを判定する。
【００６３】
判定後、再び、比較判定部２０２が、温度センサ１６２が計測した温度を取得し（ステップＳ２０）、計測温度と温度の閾値とを比較する（ステップＳ２１）。
計測温度が閾値よりも高い間はファン１６１による排気が行われ、計測温度が閾値よりも低下すると、比較判定部２０２は、ファン１６１の送風を停止するような制御要求をファン制御部２０３に送信して（ステップＳ２２）、ファン１６１の送風を停止する。
【００６４】
この後は、再び、情報処理装置１００内の温度が上昇すると、上記の処理が行われる。
次に、通気口１４ａが遮蔽された場合について説明する。
図６は図３の情報処理装置における通気口の遮蔽時を説明する図である。
【００６５】
上記と同様に、情報処理装置１００内の温度が上昇すると、ファン１６１の回転が開始する（ステップＳ１１〜Ｓ１３）。
ファン１６１の送風により、温度上昇した空気は通気経路１４に流れ込むが、通気口１４ａが遮蔽物Ｘで遮蔽されているために、通気口１４ａから十分に排気されない。通気口１４ａでの排気が妨げられた空気の多くは、分岐口１６ｂから分岐して通気経路１５に流れ込む。
【００６６】
比較判定部２０２は、風量センサ１６３が計測した風量を取得し（ステップＳ１４）、計測風量と風量の閾値とを比較する（ステップＳ１５）。比較の結果は計測風量の方が大きいことから、比較判定部２０２は、通気口１４ａが遮蔽されていると判定する。
【００６７】
比較判定部２０２は、このような判定を行うと、ＣＰＵ１１０のクロック周波数を低下させる要求をパワーモード制御部２０５に送信して（ステップＳ１６）、ＣＰＵ１１０のクロック周波数が低下する。また、比較判定部２０２は、通気口１４ａの遮蔽による冷却性能の低下の警告を表示するような表示要求を表示制御部２０４に送信し（ステップＳ１７）、モニタ２１には、例えば、図７に示すような警告が表示される。
【００６８】
図７は通気口の遮蔽時に表示される警告例を示す図である。
図７に示すモニタ２１の表示画面２１ａには、通気口１４ａが遮蔽されて、冷却性能の低下を警告するウィンドウ２１ｂが表示されている。ユーザは当該警告を視認すると、通気口１４ａを確認することが促される。警告に従ってユーザは通気口１４ａを確認し、遮蔽物Ｘを取り除くと、通気口１４ａが開放されて、通気口１４ａから排気が再開される。
【００６９】
その後に、比較判定部２０２が、再び、風量センサ１６３が計測した通気経路１５に流れ込む空気の風量を取得し（ステップＳ１４）、計測風量と風量の閾値とを比較する（ステップＳ１５）。
【００７０】
通気口１４ａは開放されたために、比較の結果は計測風量の方が小さくなる。この結果により、比較判定部２０２は通気口１４ａが遮蔽されていないことを判定する。
さらに、比較判定部２０２は、ＣＰＵ１１０のクロック周波数を元の状態に戻すような要求をパワーモード制御部２０５に送信すると共に、モニタ２１の警告の表示を終了させるような表示要求を表示制御部２０４に送信する（ステップＳ１９）。
【００７１】
以後は、通気口１４ａが遮蔽されていない場合と同様の処理手順が行われる。即ち、計測温度が閾値よりも高い間はファン１６１による排気が行われる。計測温度が閾値よりも低下すると、比較判定部２０２は、ファン１６１の回転を停止するような制御要求をファン制御部２０３に送信して（ステップＳ２２）、ファン１６１の送風を停止する。
【００７２】
また、第２の実施の形態の遮蔽判定は、ファン１６１による排気の場合だけでなく、吸気の場合にも適用することができる。
図８は第２の実施の形態の変形例を示す図である。
【００７３】
図８に示す情報処理装置１００ａでは、吸気用のファン１６１ａは通気口１４ａの近傍に配置される。当該ファン１６１ａが回転することにより、通気口１４ａを通じて外気が情報処理装置１００ａ内に流入して、内部を冷却することが可能である。なお、その他の構成は情報処理装置１００と同様である。
【００７４】
この吸気の場合における情報処理装置１００ａの動作について、図５のフローチャートに対応させて説明する。
まず、通気口１４ａが遮蔽されていない場合について説明する（図８を参照）。
【００７５】
情報処理装置１００ａ内の温度が上昇してファン１６１ａの回転が開始すると（ステップＳ１１〜Ｓ１３）、ファン１６１ａによって通気口１４ａから吸気された空気が通気経路１４に流れ込む。また、通気口１５ａから吸気された空気が通気経路１５に流れ込み、分岐口１６ｂから通気経路１４に流入する。なお、通気口１４ａは遮蔽されていないため、通気口１５ａから吸気される空気の量は、通気口１４ａから吸気される空気の量よりも少ない。
【００７６】
比較判定部２０２が、風量センサ１６３が計測した通気経路１５に流れ込む空気の風量を取得し（ステップＳ１４）、計測風量と風量の閾値とを比較する（ステップＳ１５）。比較の結果は計測風量の方が小さいことから、比較判定部２０２は、通気口１４ａは遮蔽されていないことを判定する。
【００７７】
以後の処理は排気の場合と同様に、計測温度が閾値よりも高い間はファン１６１ａによる吸気が行われ、計測温度が閾値よりも低下すると、比較判定部２０２は、ファン１６１ａの送風を停止するような制御要求をファン制御部２０３に送信して（ステップＳ２２）、ファン１６１ａの送風を停止する。
【００７８】
これに対して、通気口１４ａが遮蔽された場合について説明する。
図９は図８の情報処理装置における通気口の遮蔽時を説明する図である。
上記と同様に、情報処理装置１００ａ内の温度が上昇すると、ファン１６１ａの回転が開始される（ステップＳ１１〜Ｓ１３）。
【００７９】
ファン１６１ａの回転により吸気が開始されるものの、通気口１４ａが遮蔽物Ｘで遮蔽されているために、通気口１４ａから十分に外部の空気が吸気されない。このため、通気口１５ａから吸気される空気の量が増加する。通気口１５ａからの空気は通気経路１５に流れ込み、分岐口１６ｂから通気経路１４に流入する。
【００８０】
比較判定部２０２が、風量センサ１６３が計測した風量を取得し（ステップＳ１４）、計測風量と風量の閾値とを比較する（ステップＳ１５）。比較の結果は計測風量の方が大きいことから、比較判定部２０２は、通気口１４ａが遮蔽されていると判定する。
【００８１】
以後の処理は、排気が行われる場合と同様に、ＣＰＵ１１０のクロック周波数が低下して（ステップＳ１６）、遮蔽による冷却性能の低下の警告を表示する（ステップＳ１７）。ユーザによって遮蔽物Ｘが取り除かれると、通気口１４ａが開放されて、吸気が再開するために、計測温度が閾値よりも低下する。そして、比較判定部２０２は、ファン１６１ａの回転を停止するような制御要求をファン制御部２０３に送信して（ステップＳ２２）、ファン１６１ａの送風を停止する。
【００８２】
このように情報処理装置１００，１００ａでは、通気経路１４の途中から分岐する、通気口１５ａに通じる通気経路１５と、当該通気経路１５上に風量センサ１６３とをそれぞれ配置した。さらに、情報処理装置１００，１００ａでは風量センサ１６３が計測した風量に応じて、通気口１４ａの遮蔽を判定するようにした。また、判定に応じて、ＣＰＵ１１０のクロック周波数を低下し、通気口１４ａの遮蔽による冷却能力の低下の警告を行った。
【００８３】
これにより、情報処理装置１００，１００ａ内の温度が大きく上昇する前に、通気口１４ａの遮蔽を検知し、ユーザへの警告やクロック周波数の低下といった危険回避のための対策を施すことができる。また、ＣＰＵ１１０からの発熱を抑制できるため、遮蔽物Ｘが取り除かれるまでに時間を要する場合でも、情報処理装置１００の温度上昇を抑制または遅延させることができる。このため、温度上昇に素早く対応でき、情報処理装置１００，１００ａの誤作動及び故障の発生を抑制することができる。
【００８４】
［第３の実施の形態］
第３の実施の形態では、第２の実施の形態の情報処理装置１００の通気口１５ａに新たに開閉部を設けて、通気口１４ａの遮蔽に応じて、当該開閉部を移動させる場合について説明する。
【００８５】
図１０は第３の実施の形態に係る情報処理装置のハードウェア構成例を示す図である。また、図１１は第３の実施の形態に係る情報処理装置の排気の機構例を示す図である。
情報処理装置１００ｂは、例えば、図２に示すようなコンピュータとして実現される。このコンピュータは、ＣＰＵ１１０、ＲＡＭ１２０、ＨＤＤ１３０、グラフィック処理部１４０、入力インタフェース１５０及びファンコントローラ１６０を備えている。また、情報処理装置１００ｂはさらに開閉部１７０を備えている。これらの各部はバス１８０で相互に接続されて、図１１に示す筐体１２内の所定位置（図示を省略）に設置されている。また、ファンコントローラ１６０には、ファン１６１、温度センサ１６２及び風量センサ１６３がそれぞれ接続されている。
【００８６】
開閉部１７０は、図１１に示すように、筐体１２の通気口１５ａに開閉自在に設けられたシャッター１７０ａと、ＣＰＵ１１０からの開閉要求に応じて、当該シャッター１７０ａを開閉させる開閉機構（図示を省略）とを有する。なお、図１１に示すように、通常、シャッター１７０ａは通気口１５ａを閉鎖した状態で維持されている。
【００８７】
また、情報処理装置１００ｂでは、風量センサ１６３は、通気経路１５の分岐口１６ｂの近傍に配置されていることが望ましい。その理由は、通気口１４ａが遮蔽されたとき、通気経路１５に流れ込む風量の変化を短時間に検知できるようにするためである。
【００８８】
次いで、情報処理装置１００ｂが備える制御機能について説明する。
図１２は第３の実施の形態に係る情報処理装置が備える機能を示すブロック図である。
情報処理装置１００ｂは、通気口１４ａの遮蔽を判定すると共に、判定結果に応じて所定の処理を実行することができる。このような処理を実行するために、情報処理装置１００ｂは、閾値保持部２０１、比較判定部２０２、ファン制御部２０３、表示制御部２０４及びパワーモード制御部２０５に加えて、新たに開閉制御部２０６を有する。
【００８９】
比較判定部２０２は、通気口１４ａが遮蔽されていると判定した場合に、通気口１５ａのシャッター１７０ａの開放要求を開閉制御部２０６に送信する。また、比較判定部２０２は、通気口１４ａが遮蔽されていないと判定した場合に、通気口１５ａが開放状態にあれば、シャッター１７０ａの閉鎖要求を開閉制御部２０６に送信する。
【００９０】
開閉制御部２０６は、比較判定部２０２からの開放要求に基づいてシャッター１７０ａを移動させて、通気口１５ａを開放する。また、比較判定部２０２からの閉鎖要求に基づいてシャッター１７０ａを移動させて、通気口１５ａを閉鎖する。なお、開閉制御部２０６の機能は、例えば、ファンコントローラ１６０によって実現される。
【００９１】
次に、情報処理装置１００ｂで行われる通気口１４ａの遮蔽判定及び当該判定に応じて実施される所定の制御の処理手順について説明する。
図１３は第３の実施の形態に係る情報処理装置が行う通気口の遮蔽判定の処理手順を示すフローチャートである。
【００９２】
なお、図１３に示すフローチャートにおいて、図５に示したフローチャートのステップ番号と同じステップ番号は、図５のステップ番号と同様の処理が行われる。即ち、ステップＳ１〜Ｓ２２は図５と同じ処理が行われる。以下では、図１３でのみ行われるステップＳ２３，Ｓ２４について説明する。
【００９３】
［ステップＳ２３］
ステップＳ１５の比較結果が計測風量が閾値以下で無い場合であって、ステップＳ１６でＣＰＵ１１０のクロック周波数を低下させた後に、比較判定部２０２は、シャッター１７０ａの開放要求を開閉制御部２０６に送信する。この処理により、開閉制御部２０６はシャッター１７０ａを移動させて、通気口１５ａを開放する。
【００９４】
ステップＳ１４〜Ｓ１７，Ｓ２３のループでは、ステップＳ１５で計測風量が閾値より大きいと判定される間、警告が表示され続けると共に、クロック周波数を低下させた状態及びシャッター１７０ａの開放状態が維持される。
【００９５】
このような状態において、計測風量が閾値以下になると（ステップＳ１４，Ｓ１５）、ステップＳ１７で警告を表示している場合には、当該警告の表示を終了すると共に、ＣＰＵ１１０のクロック周波数を元の状態に戻す（ステップＳ１９）。
【００９６】
［ステップＳ２４］
比較判定部２０２は、シャッター１７０ａの閉鎖要求を開閉制御部２０６に送信する。この処理により、開閉制御部２０６はシャッター１７０ａを移動させて、通気口１５ａを閉鎖させる。
【００９７】
以後の処理は、排気が行われる場合と同様に、計測温度が閾値よりも高い間はファン１６１ａによる排気が行われ、計測温度が閾値よりも低下すると、比較判定部２０２は、ファン１６１ａの送風を停止するような制御要求をファン制御部２０３に送信して（ステップＳ２２）、ファン１６１ａの送風を停止する。
【００９８】
次に、情報処理装置１００ｂの動作について具体的に説明する。図１４は第３の実施の形態に係る情報処理装置の通気経路のそれぞれの風量の関係を説明する表である。なお、図１４は、風量センサ１６３で計測される風量の範囲を３段階の風量レベルで示している。また、図１４では、閾値保持部２０１が保持する風量の閾値以下の範囲が風量レベル１に対応する。
【００９９】
まず、通気口１４ａが遮蔽されていない場合について説明する（図１１を参照）。
情報処理装置１００ｂ内の温度が上昇してファン１６１の回転が開始すると（ステップＳ１１〜Ｓ１３）、ファン１６１によって送風される空気の殆どが通気経路１４に流れ込み、通気口１４ａから排気される。また、ファン１６１によって送風される空気の一部は通気経路１４の分岐口１６ｂから通気経路１５に流れ込む。
【０１００】
比較判定部２０２が、風量センサ１６３が計測した通気経路１５に流れ込む空気の風量を取得し（ステップＳ１４）、計測風量と風量の閾値とを比較する（ステップＳ１５）。このときの風量は風量レベル１の範囲であり、計測風量が閾値を超えていないことから、比較判定部２０２は、通気口１４ａは遮蔽されていないことを判定する。
【０１０１】
判定後、再び、比較判定部２０２が、温度センサ１６２が計測した温度を取得し（ステップＳ２０）、計測温度と温度の閾値とを比較する（ステップＳ２１）。
計測温度が閾値よりも高い間はファン１６１による排気が行われ、計測温度が閾値よりも低下すると、比較判定部２０２は、ファン１６１の送風を停止するような制御要求をファン制御部２０３に送信して、ファン１６１の送風を停止する（ステップＳ２２）。
【０１０２】
この後は、再び、情報処理装置１００ｂ内の温度が上昇すると、上記の処理が行われる。
次に、通気口１４ａが遮蔽された場合について説明する。
【０１０３】
図１５は図１１の情報処理装置における通気口の遮蔽時を説明する図である。
上記と同様に、情報処理装置１００ｂ内の温度が上昇すると、ファン１６１の回転が開始する（ステップＳ１１〜Ｓ１３）。
【０１０４】
ファン１６１の送風により、温度上昇した空気は通気経路１４に流れ込むが、通気口１４ａが遮蔽物Ｘで遮蔽されているために、通気口１４ａから十分に排気されない。通気口１４ａでの排気が妨げられた空気の多くは、分岐口１６ｂから分岐して通気経路１５に流れ込む。
【０１０５】
比較判定部２０２が、風量センサ１６３が計測した風量を取得し（ステップＳ１４）、計測風量と風量の閾値とを比較する（ステップＳ１５）。このときの風量は風量レベル２の範囲となり、計測風量の方が閾値を超えていることから、比較判定部２０２は、通気口１４ａが遮蔽されていると判定する。
【０１０６】
比較判定部２０２は、まず、ＣＰＵ１１０のクロック周波数を低下させる要求をパワーモード制御部２０５に送信して、ＣＰＵ１１０のクロック周波数が低下する（ステップＳ１６）。
【０１０７】
また、比較判定部２０２は、このようは判定を行うと、まず、通気口１５ａの開放要求を開閉制御部２０６に送信し、シャッター１７０ａが移動して、通気口１５ａを開放する（ステップＳ２３）。なお、この時、風量センサ１６３で計測される風量は、例えば、風量レベル２よりさらに大きい風量レベル３の範囲となる。
【０１０８】
さらに、比較判定部２０２は、通気口１４ａの遮蔽による冷却性能の低下の警告を表示するような表示要求を表示制御部２０４に送信し、モニタ２１には、上記図７に示すような警告が表示される（ステップＳ１７）。
【０１０９】
このような警告に従ってユーザは通気口１４ａを確認し、遮蔽物Ｘを取り除くと、通気口１４ａが開放されて、通気口１４ａから排気が再開される。
その後に、比較判定部２０２が、再び、風量センサ１６３が計測した通気経路１５に流れ込む空気の風量を取得し（ステップＳ１４）、計測風量と風量の閾値とを比較する（ステップＳ１５）。
【０１１０】
通気口１４ａは開放されたために、通気経路１５の風量は風量レベル１の範囲に低下し、計測風量は閾値以下となる。この結果により、比較判定部２０２は通気口１４ａが遮蔽されていないことを判定する。
【０１１１】
さらに、比較判定部２０２は、ＣＰＵ１１０のクロック周波数を元の状態に戻すような要求をパワーモード制御部２０５に送信すると共に、モニタ２１の警告の表示を終了する表示要求を表示制御部２０４に送信して（ステップＳ１９）、警告の表示を終了する。
【０１１２】
続けて、比較判定部２０２は、通気口１５ａの閉鎖要求を開閉制御部２０６に送信して、シャッター１７０ａを移動させて通気口１５ａを閉鎖する（ステップＳ２４）。
以後の処理は、通気口１４ａが遮蔽されていない場合と同様の処理手順が行われる。即ち、計測温度が閾値よりも高い間はファン１６１による排気が行われる。計測温度が閾値よりも低下すると、比較判定部２０２は、ファン１６１の回転を停止するような制御要求をファン制御部２０３に送信して（ステップＳ２２）、ファン１６１の送風を停止する。
【０１１３】
また、第３の実施の形態の遮蔽判定は、第２の実施の形態と同様に、ファン１６１による排気の場合だけでなく、吸気の場合にも適用することができる。
図１６は第３の実施の形態の変形例を示す図である。
【０１１４】
情報処理装置１００ｃでは、図１６に示すように、上記情報処理装置１００ｂにおいて、吸気用のファン１６１ａが通気口１４ａの近傍に配置される。当該ファン１６１ａが回転することにより、通気口１４ａを通じて外気が情報処理装置１００ｃ内に流入して、内部を冷却することが可能である。なお、その他の構成は情報処理装置１００ｂと同様である。
【０１１５】
この吸気の場合における情報処理装置１００ｃの動作について、図１３のフローチャートに対応させて説明する。
まず、通気口１４ａが遮蔽されていない場合について説明する（図１６を参照）。
【０１１６】
情報処理装置１００ｃ内の温度が上昇してファン１６１ａの回転が開始すると（ステップＳ１１〜Ｓ１３）、ファン１６１ａによって通気口１４ａから吸気された空気が通気経路１４に流れ込む。また、通気口１５ａから吸気された空気が通気経路１５に流れ込み、分岐口１６ｂから通気経路１４に流入する。なお、通気口１５ａはシャッター１７０ａで閉鎖されているために、通気口１５ａから吸気されて通気経路１５に流れ込む空気の量は、通気口１４ａから吸気される空気の量よりも極めて少ない。
【０１１７】
比較判定部２０２が、風量センサ１６３が計測した通気経路１５に流れ込む空気の風量を取得し（ステップＳ１４）、計測風量と風量の閾値とを比較する（ステップＳ１５）。比較の結果は計測風量の方が小さいことから、比較判定部２０２は、通気口１４ａは遮蔽されていないことを判定する。
【０１１８】
以後の処理は排気の場合と同様に、計測温度が閾値よりも高い間はファン１６１ａによる吸気が行われ、計測温度が閾値よりも低下すると、比較判定部２０２は、ファン１６１ａの送風を停止するような制御要求をファン制御部２０３に送信して（ステップＳ２２）、ファン１６１ａの送風を停止する。
【０１１９】
これに対して、通気口１４ａが遮蔽された場合について説明する。
図１７は図１６の情報処理装置における通気口の遮蔽時を説明する図である。
上記と同様に、情報処理装置１００ｃ内の温度が上昇すると、ファン１６１ａの回転が開始される（ステップＳ１１〜Ｓ１３）。
【０１２０】
ファン１６１ａの回転により吸気が開始されるものの、通気口１４ａが遮蔽物Ｘで遮蔽されているために、通気口１４ａから十分に外部の空気が吸気されない。このため、通気経路１５の空気が、分岐口１６ｂから通気経路１４に流入する。
【０１２１】
比較判定部２０２が、風量センサ１６３が計測した風量を取得し（ステップＳ１４）、計測風量と風量の閾値とを比較する（ステップＳ１５）。比較の結果は計測風量の方が大きいことから、比較判定部２０２は、通気口１４ａが遮蔽されていると判定する。
【０１２２】
以後の処理は、排気が行われる場合と同様に、ＣＰＵ１１０のクロック周波数が低下して（ステップＳ１６）、シャッター１７０ａが移動して通気口１５ａが開放され（ステップＳ２３）、遮蔽による冷却性能の低下の警告を表示する（ステップＳ１７）。ユーザによって遮蔽物Ｘが取り除かれて、通気口１４ａが開放されると、吸気が再開するために、計測温度が閾値よりも低下する。そして、比較判定部２０２は、警告の表示を終了し（ステップＳ１９）、シャッター１７０ａを移動して通気口１５ａを閉鎖し（ステップＳ２４）、ファン１６１ａの回転を停止するような制御要求をファン制御部２０３に送信して、ファン１６１ａの送風を停止する（ステップＳ２２）。
【０１２３】
このように情報処理装置１００ｂ，１００ｃでは、通気経路１４の途中から分岐する、通気口１５ａに通じる通気経路１５と、当該通気経路１５上に風量センサ１６３とをそれぞれ配置した。さらに、情報処理装置１００ｂ，１００ｃでは風量センサ１６３が計測した風量に応じて、通気口１４ａの遮蔽を判定するようにした。また、判定に応じて、ＣＰＵ１１０のクロック周波数を低下し、通気口１４ａの遮蔽による冷却能力の低下の警告を行い、閉鎖状態の通気口１５ａを開放した。
【０１２４】
これにより、情報処理装置１００ｂ，１００ｃ内の温度が大きく上昇する前に、通気口１４ａの遮蔽を検知することができる。また、ＣＰＵ１１０からの発熱を抑制できるため、遮蔽物Ｘが取り除かれるまでに時間を要する場合でも、情報処理装置１００ｂ，１００ｃの温度上昇を抑制または遅延させることができる。さらに、通気時以外の通気口１５ａへの異物の混入を防止できる。このため、温度上昇に素早く対応でき、情報処理装置１００ｂ，１００ｃの誤作動及び故障の発生を抑制することができる。
【０１２５】
なお、上記の各実施の形態で示した情報処理装置１００，１００ａ，１００ｂ，１００ｃが有する比較判定機能やデバイスの制御機能は、コンピュータによって実現することができる。その場合には、上記機能の処理内容を記述したプログラムが提供される。そして、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。
【０１２６】
プログラムを流通させる場合には、例えば、そのプログラムが記録された光ディスク等の可搬型記録媒体が販売される。また、プログラムをサーバコンピュータの記憶装置に格納しておき、そのプログラムを、サーバコンピュータからネットワークを介して他のコンピュータに転送することもできる。
【０１２７】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、そのプログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１２８】
以上の各実施の形態に関し、さらに以下の付記を開示する。
（付記１）  筐体内の空気を排気する送風機を有する情報処理装置において、
前記送風機から第１排気口へ流れる空気が通過する第１経路と、
前記第１経路の途中から分岐して第２排気口に通じる第２経路と、
前記第２経路上に配置され、前記第１経路から前記第２経路に流れ込んで前記第２排気口から排気される空気の風量を計測する風量計測器と、
前記風量計測器で計測された前記風量に基づいて、前記第１排気口が遮蔽されているか否かを判定する判定手段と、
を有することを特徴とする情報処理装置。
【０１２９】
（付記２）  前記判定手段は、
前記風量と所定の閾値とを比較して、前記風量が前記閾値よりも大きい場合に、前記第１排気口が遮蔽されていると判定することを特徴とする付記１記載の情報処理装置。
【０１３０】
（付記３）  前記判定手段が前記第１排気口が遮蔽されていると判定すると、前記第１排気口が遮蔽されている旨を警告する警告手段、
をさらに有することを特徴とする付記１または２記載の情報処理装置。
【０１３１】
（付記４）  前記第２排気口の開閉を行う開閉部と、
前記判定手段が前記第１排気口が遮蔽されていると判定すると、前記第２排気口を閉鎖状態から開放状態にするように前記開閉部を制御する開閉制御手段と、
をさらに有することを特徴とする付記１乃至３のいずれか１項に記載の情報処理装置。
【０１３２】
（付記５）  前記風量計測器は、前記第２経路上であって、前記第１経路との分岐の近傍に配置されていることを特徴とする付記４記載の情報処理装置。
（付記６）  前記判定手段が前記第１排気口が遮蔽されていると判定すると、前記送風機の風量を増加させる送風機制御手段、
をさらに有することを特徴とする付記１乃至５のいずれか１項に記載の情報処理装置。
【０１３３】
（付記７）  前記判定手段が前記第１排気口が遮蔽されていると判定すると、前記情報処理装置が備える制御回路のクロック周波数を低下させるパワーモード制御部、
をさらに有することを特徴とする付記１乃至６のいずれか１項に記載の情報処理装置。
【０１３４】
（付記８）  筐体内に空気を吸気する送風機を有する情報処理装置において、
第１吸気口から前記送風機に吸気される空気が通過する第１経路と、
前記第１経路の途中から分岐して第２吸気口に通じる第２経路と、
前記第２経路上に配置され、前記第２排気口から前記第２経路に吸気されて、前記第１経路に流れ込む空気の風量を計測する風量計測器と、
前記風量計測器で計測された前記風量に基づいて、前記第１排気口が遮蔽されているか否かを判定する判定手段と、
を有することを特徴とする情報処理装置。
【符号の説明】
【０１３５】
１，１００，１００ａ，１００ｂ，１００ｃ  情報処理装置
２，１２  筐体
３  送風機
４，５  排気経路
４ａ，５ａ  排気口
６ｂ，１６ｂ  分岐口
１６ａ  仕切り
７，１６３  風量センサ
８ａ  閾値保持手段
８ｂ  判定手段
８ｃ  警告手段
１４，１５  通気経路
１４ａ，１５ａ  通気口
１９  フィン
２１  モニタ
２１ａ  表示画面
２１ｂ  ウィンドウ
２２  キーボード
２３  マウス
１１０  ＣＰＵ
１２０  ＲＡＭ
１３０  ＨＤＤ
１４０  グラフィック処理部
１５０  入力インタフェース
１６０  ファンコントローラ
１６１，１６１ａ  ファン
１６２  温度センサ
１７０  開閉部
１７０ａ  シャッター
１８０  バス
２０１  閾値保持部
２０２  比較判定部
２０３  ファン制御部
２０４  表示制御部
２０５  パワーモード制御部
２０６  開閉制御部
Ｘ  遮蔽物
【図１】
2011150517.tif 000003
【図２】
2011150517.tif 000004
【図３】
2011150517.tif 000005
【図４】
2011150517.tif 000006
【図５】
2011150517.tif 000007
【図６】
2011150517.tif 000008
【図７】
2011150517.tif 000009
【図８】
2011150517.tif 000010
【図９】
2011150517.tif 000011
【図１０】
2011150517.tif 000012
【図１１】
2011150517.tif 000013
【図１２】
2011150517.tif 000014
【図１３】
2011150517.tif 000015
【図１４】
2011150517.tif 000016
【図１５】
2011150517.tif 000017
【図１６】
2011150517.tif 000018
【図１７】
2011150517.tif 000019